(57)【要約】【課題】構造の強度および安定性が良好なウォッチワインディングボックスを提供する。【解決手段】第一支持柱３０は、二つの端板２０、２２の間に設けられており、少なくとも一つの第一当接部および少なくとも一つの第一係止部を有する。二つの第二支持柱４０は、二つの端板２０、２２の間に設けられており、互いに鏡面対称となるよう形成されている第二当接部および第三当接部、ならびに、互いに鏡面対称となるよう形成されている第二係止部および第三係止部を有する。一方の第二支持柱４０の第二当接部が他方の第二支持柱４０の第二当接部と対向し、第三当接部が第一支持柱３０の第一当接部に対向し、一方の第二支持柱４０の第二係止部が他方の第二支持柱４０の第二係止部と対向し、第三係止部が第一支持柱３０の第一係止部に対向している。側板セットは、二つの第一側板５１および一つの第二側板を有する。【選択図】  図１
0003188037.tif 000002
【実用新案登録請求の範囲】
【請求項１】
二つの端板、二つの第一支持柱、二つの第二支持柱、および側板セットを備え、
前記第一支持柱は、二つの端板の間に設けられており、少なくとも一つの第一当接部および少なくとも一つの第一係止部を有し、
二つの前記第二支持柱は、二つの端板の間に設けられており、互いに鏡面対称となるよう形成されている第二当接部および第三当接部、ならびに、互いに鏡面対称となるよう形成されている第二係止部および第三係止部を有し、一方の前記第二支持柱の前記第二当接部が他方の前記第二支持柱の前記第二当接部と対向しており、前記第三当接部が前記第一支持柱の前記第一当接部に対向しており、一方の前記第二支持柱の前記第二係止部が他方の前記第二支持柱の前記第二係止部と対向しており、前記第三係止部が前記第一支持柱の第一係止部に対向しており、
前記側板セットは、二つの第一側板および一つの第二側板を有し、前記第一側板が、前記第一支持柱の前記第一当接部と前記第二支持柱の前記第三当接部との間に設けられており、前記第一支持柱の前記第一係止部および前記第二支持柱の前記第三係止部に嵌め込まれており、前記第二側板が、二つの前記第二支持柱の前記第二当接部の間に設けられており、前記第二支持柱の前記第二係止部に嵌め込まれていることを特徴とするウォッチワインディングボックス。  
【請求項２】
二つの前記第一支持柱の間には、面板が設けられており、
前記面板は、少なくとも一つの空洞部を有することを特徴とする請求項１に記載のウォッチワインディングボックス。  
【請求項３】
前記面板の前記第二側板とは反対側に設けられている透明扉板をさらに備え、
前記第一支持柱は、前記第一当接部とは反対側に設けられている筺部をさらに有し、
前記透明扉板は、側辺が一方の前記第一支持柱の前記筺部に接続されていることを特徴とする請求項２に記載のウォッチワインディングボックス。
【請求項４】
前記第一支持柱の前記第一当接部は、相互に連接されている第一当接面および第一当接斜面を有し、前記第一当接面が前記第一側板の内側の面に当接しており、前記第一当接斜面が前記第一側板の側辺に当接しており、
前記第二支持柱の前記第二当接部は、相互に連接されている第二当接面および第二当接斜面を有し、前記第二当接面が前記第二側板の内側の面に当接しており、前記第二当接斜面が前記第二側板の側辺に当接しており、
前記第二支持柱の前記第三当接部は、相互に連接されている第三当接面および第三当接斜面を有し、前記第三当接面が前記第一側板の内側の面に当接しており、前記第三当接斜面が前記第一側板の側辺に当接していることを特徴とする請求項３に記載のウォッチワインディングボックス。
【請求項５】
前記第一当接面と前記第一当接斜面との間の角度、前記第二当接面と前記第二当接斜面との間の角度、および前記第三当接面と前記第三当接斜面との間の角度は、１３５度であることを特徴とする請求項４に記載のウォッチワインディングボックス。
【請求項６】
一方の前記端板は、底面に複数の脚部が設けられていることを特徴とする請求項５に記載のウォッチワインディングボックス。
【請求項７】
一方の前記端板は、外側面に面板を有し、
前記面板には少なくとも一つの空洞部が形成されていることを特徴とする請求項１に記載のウォッチワインディングボックス。
【請求項８】
フレームおよび透明扉板をさらに備え、
前記フレームは、側辺が一つの前記端板の側辺と接続しており、
前記透明扉板は、前記面板の前記第一側板とは反対側の前記フレームの中に装着されていることを特徴とする請求項７に記載のウォッチワインディングボックス。
【請求項９】
前記第一支持柱は、互いに鏡面対称となるよう形成されている二つの第一当接部および互いに鏡面対照となるよう形成されている二つの第一係止部を有し、
側板セットは、第三側板をさらに有し、
前記第三側板は、二つの前記第一支持柱の前記第一当接部の間に設けられており、前記第一支持柱の前記第一係止部に嵌め込まれていることを特徴とする請求項７に記載のウォッチワインディングボックス。
【請求項１０】
前記第一支持柱の前記第一当接部は、相互に連接されている第一当接面および第一当接斜面を有し、
二つの前記第一当接部の前記第一当接面は、それぞれ前記第一側板の内側の面および前記第三側板の内側の面に当接しており、
二つの前記第一当接部の前記第一当接斜面は、それぞれ前記第一側板の側辺および前記第三側板の側辺に当接しており、
前記第二支持柱の前記第二当接部は、相互に連接されている第二当接面および第二当接斜面を有し、前記第二当接面が前記第二側板の内側の面に当接しており、前記第二当接斜面が前記第二側板の側辺に当接しており、
前記第二支持柱の前記第三当接部は、相互に連接されている第三当接面および第三当接斜面を有し、前記第三当接面が前記第一側板の内側の面に当接しており、前記第三当接斜面が前記第一側板の側辺に当接していることを特徴とする請求項９に記載のウォッチワインディングボックス。
【請求項１１】
前記第一当接面と前記第一当接斜面との間の角度、前記第二当接面と前記第二当接斜面との間の角度、および、前記第三当接面と前記第三当接斜面との間の角度は、１３５度であることを特徴とする請求項１０に記載のウォッチワインディングボックス。
【請求項１２】
他方の前記端板は、底面に複数の脚部が設けられていることを特徴とする請求項１１に記載のウォッチワインディングボックス。
【考案の詳細な説明】
【技術分野】
【０００１】
本考案は、ウォッチワインディングボックス、特に構造安定性が良好なウォッチワインディングボックスに関するものである。
【背景技術】
【０００２】
一般の機械式腕時計は、リューズでゼンマイを巻き上げるか、着用者の腕が振動してゼンマイを自動的に巻き上げることによって正常稼動を維持する。機械式腕時計を着用せずにしばらく置いておく場合、ウォッチワインディングボックスに機械式腕時計を入れ、ウォッチワインディングボックスの巻き上げ機構によって機械式腕時計のゼンマイを自動的に巻き上げることが一般的である。
【０００３】
従来のウォッチワインディングボックスは、複数の木材合板を接着し、組み立てることによって構成され、軽量および低コストが特徴であるが、構造全体の強度および安定性はあまり好ましくないため、長期にわたって使用されれば、変形および損壊現象が生じる。従って、従来のウォッチワインディングボックスには改善の余地がある。
【考案の概要】
【考案が解決しようとする課題】
【０００４】
本考案は、構造の強度および安定性が良好なウォッチワインディングボックスを提供することを主な目的とする。
【課題を解決するための手段】
【０００５】
上述の目的を達成するために、本考案によるウォッチワインディングボックスは、二つの端板、二つの第一支持柱、二つの第二支持柱、および側板セットを備える。第一支持柱は、二つの端板の間に設けられており、少なくとも一つの第一当接部および少なくとも一つの第一係止部を有する。二つの第二支持柱は、二つの端板の間に設けられており、互いに鏡面対称となるよう形成されている第二当接部および第三当接部、ならびに、互いに鏡面対称となるよう形成されている第二係止部および第三係止部を有する。一方の第二支持柱の第二当接部が他方の第二支持柱の第二当接部と対向し、第三当接部が第一支持柱の第一当接部に対向し、一方の第二支持柱の第二係止部が他方の第二支持柱の第二係止部と対向し、第三係止部が第一支持柱の第一係止部に対向している。側板セットは、二つの第一側板および一つの第二側板を有し、第一側板が、第一支持柱の第一当接部と第二支持柱の第三当接部との間に設けられており、第一支持柱の第一係止部および第二支持柱の第三係止部に嵌め込まれており、第二側板が、二つの第二支持柱の第二当接部の間に設けられており、第二支持柱の第二係止部に嵌め込まれている。上述したとおり、本考案によるウォッチワインディングボックスは、構造強度を効果的に増大させ、構造安定性を向上させることができる。
【０００６】
ウォッチワインディングボックスは二つの第一支持柱の間に面板を有する。面板は腕時計を格納するため少なくとも一つの空洞部を有する。第一支持柱はさらに第一当接部に背いた筺部を有する。一つの第一支持柱は筺部に装着された透明扉板を有する。透明扉板は面板の正面に向かい、面板を保護する。
【０００７】
第一支持柱の第一当接部は相互に接する第一当接面および第一当接斜面と、第一当接面と第一当接斜面との間に形成された所定角度とを有する。第一当接面は第一側板の内側の面に当接する。第一当接斜面は第一側板の側辺に当接する。第二支持柱の第二当接部は相互に接する第二当接面および第二当接斜面と、第二当接面と第二当接斜面との間に形成された所定角度とを有する。二つの第二当接面はそれぞれ第一側板の内側の面および第二側板の内側の面に当接する。二つの第二当接斜面はそれぞれ第一側板の側辺および第二側板の側辺に当接する。従って、本考案は側板セットを組み立てる際の利便性および構造安定性を向上させることができる。
【図面の簡単な説明】
【０００８】
【図１】本考案の第１実施形態によるウォッチワインディングボックスを示す斜視図である。
【図２】本考案の第１実施形態によるウォッチワインディングボックスの一部分を示す分解斜視図である。
【図３】本考案の第１実施形態によるウォッチワインディングボックスの要部を示す平面図である。
【図４】本考案の第１実施形態によるウォッチワインディングボックスの要部を示す平面図である。
【図５】本考案の第２実施形態によるウォッチワインディングボックスを示す斜視図である。
【図６】本考案の第２実施形態によるウォッチワインディングボックスの要部を示す平面図である。
【図７】本考案の第２実施形態によるウォッチワインディングボックスの要部を示す平面図である。
【図８】本考案の第２実施形態によるウォッチワインディングボックスの要部を示す平面図である。
【考案を実施するための形態】
【０００９】
（第１実施形態）
図１および図２に示すように、本考案の第１実施形態によるウォッチワインディングボックス１０は、二つの端板２０、２２、二つの第一支持柱３０、二つの第二支持柱４０および側板セット５０を備える。
【００１０】
端板２０、２２は金属材料から構成され、かつ上下向かい合うように配置される。本実施形態は実際状況に応じて端板２０の頂面に装飾用透明板２４を増設することによって質感を向上させ、かつ端板２２の底面に四つの脚部２６を増設することによって端板２２が地面に直接接触することを避けることができる。
【００１１】
二つの第一支持柱３０は、アルミニウム押し出し加工に成形され、鏡面対称をなすように二つの端板２０、２２の間に連結される。図３に示すように、本実施形態において、第一支持柱３０は第一当接部３１と、第一当接部３１に接する第一係止部３２と、第一当接部３１に背いたＬ字型筺部３３とを有する。第一当接部３１は相互に接する第一当接面３１２および第一当接斜面３１４と、第一当接面３１２と第一当接斜面３１４との間に形成された所定角度θとを有する。所定角度θは１３５度が最も好ましいが、これに限らない。一方、図２に示すように、本実施形態は二つの第一支持柱３０の間に面板６０を有する。面板６０は腕時計（図中未表示）を格納するため複数の空洞部６２を有する。空洞部６２は三つであるが、実際に少なくとも一つでさえあればよい。
【００１２】
二つの第一支持柱４０は、アルミニウム押し出し加工に成形され、鏡面対称をなすように二つの端板２０、２２の間に連結される。図３および図４に示すように第二支持柱４０は二つの鏡面対称をなす第二当接部４１、第三当接部４２を有する。二つの第二支持柱４０は第二当接部４１が相互に対応し、第三当接部４２がそれぞれ第一支持柱３０の第一当接部３１に対応する。第二当接部４１は相互に接する第二当接面４３ａおよび第二当接斜面４４ａと、第二当接面４３ａと第二当接斜面４４ａとの間に形成された所定角度θとを有する。所定角度θは１３５度が最も好ましいが、これに限らない。第三当接部４２は相互に接する第三当接面４３ｂおよび第三当接斜面４４ｂと、第三当接面４３ｂと第三当接斜面４４ｂとの間に形成された所定角度θとを有する。所定角度θは１３５度が最も好ましいが、これに限らない。図３および図４に示すように、第二支持柱４０はさらに二つの鏡面対照をなす第二係止部４５、４６を有する。二つの第二支持柱４０は第二係止部４５が相互に対応し、第二係止部４６がそれぞれ第一支持柱３０の第一係止部３２に対応する。
【００１３】
側板セット５０は、二つの第一側板５１および一つの第二側板５２を有する。図３および図４に示すように、第一側板５１は第一支持柱３０の第一係止部３２および第二支持柱４０の第二係止部４６に嵌め込まれる。第一側板５１の内側の面は第一支持柱３０の第一当接部３１の第一当接面３１２および第二支持柱４０の第三当接部４２の第三当接面４３ｂに当接する。第一側板５１の左右両側は斜めになり、それぞれ第一支持柱３０の第一当接部３１の第一当接斜面３１４および第二支持柱４０の第三当接部４２の第三当接斜面４４ｂに当接する。第二側板５２は二つの第二支持柱４０の第二係止部４５に嵌め込まれる。第二側板５２の内側の面は二つの第二支持柱４０の第二当接部４１の第二当接面４３ａに当接する。第二側板５２の左右両側は斜めになり、それぞれ二つの第二支持柱４０の第二当接部４１の第二当接斜面４４ａに当接する
【００１４】
図２に示すように、組み立てが完了すると、上下の二つの端板２０、２２、面板６０および側板セット５０の間に巻き上げ機構（図中未表示）の格納に用いる格納空間６６が形成される。巻き上げ機構によって腕時計のゼンマイを自動的に巻き上げることができる。一方、図１および図３に示すように、本考案第１実施形態によるウォッチワインディングボックス１０は、さらに面板６０の正面に向かう透明扉板６４を備える。透明扉板６４は側辺が一つの第一支持柱３０のＬ字型筺部３３に接続されるため、面板６０および腕時計の展示を妨害することなく、面板６０および腕時計を保護することができる。
【００１５】
（第２実施形態）
一方、本考案は構造を変えることができる。図５に示すように本考案の第２実施形態によるウォッチワインディングボックス１２は、二つの端板２０、２２、二つの第一支持柱７０、二つの第二支持柱４０および側板セット５０を備える。
【００１６】
端板２０、２２は金属材料から構成され、前後かつ向かい合うように配置される。端板２０は外側面に面板６０を有する。端板２０、２２はそれぞれ底面に二つの脚部２６を有するため、地面に直接接触することを避けることができる。
【００１７】
二つの第一支持柱７０は、アルミニウム押し出し加工に成形され、鏡面対称をなすように二つの端板２０、２２の間に連結される。図６および図８に示すように、本実施形態において、第一支持柱７０は二つの鏡面対称をなす第一当接部７１、７２および二つの鏡面対照をなす第一係止部７５、７６を有する。第一当接部７１は相互に接する第一当接面７３ａおよび第一当接斜面７４ａと、第一当接面７３ａと第一当接斜面７４ａとの間に形成された所定角度θとを有する。所定角度θは１３５度が最も好ましいが、これに限らない。第一当接部７２は相互に接する第一当接面７３ｂおよび第一当接斜面７４ｂと、第一当接面７３ｂと第一当接斜面７４ｂとの間に形成された所定角度θとを有する。所定角度θは１３５度が最も好ましいが、これに限らない。
【００１８】
二つの第一支持柱４０は、アルミニウム押し出し加工に成形され、鏡面対称をなすように二つの端板２０、２２の間に連結される。図７に示すように、第二支持柱４０は二つの鏡面対称をなす第二当接部４１、第三当接部４２を有する。二つの第二支持柱４０は第二当接部４１が相互に対応し、第三当接部４２がそれぞれ第一支持柱７０の第一当接部７２に対応する。第二当接部４１は相互に接する第二当接面４３ａおよび第二当接斜面４４ａと、第二当接面４３ａと第二当接斜面４４ａとの間に形成された所定角度θとを有する。所定角度θは１３５度が最も好ましいが、これに限らない。第三当接部４２は相互に接する第三当接面４３ｂおよび第三当接斜面４４ｂと、第三当接面４３ｂと第三当接斜面４４ｂとの間に形成された所定角度θとを有する。所定角度θは１３５度が最も好ましいが、これに限らない。第二支持柱４０はさらに二つの鏡面対照をなす第二係止部４５、４６を有する。二つの第二支持柱４０は第二係止部４５が相互に対応し、第二係止部４６がそれぞれ第一支持柱７０の第一係止部７６に対応する。
【００１９】
側板セット５０は、二つの第一側板５１、第二側板５２および第三側板５３を有する。図６から図８に示すように、第一側板５１は第一支持柱７０の第一係止部７６および第二支持柱４０の第二係止部４６に嵌め込まれる。第一側板５１の内側の面は第一支持柱７０の第一当接部７２の第一当接面７３ｂおよび第二支持柱４０の第三当接部４２の第三当接面４３ｂに当接する。第一側板５１の左右両側は斜めになり、それぞれ第一支持柱７０の第一当接部７２の第一当接斜面７４ｂおよび第二支持柱４０の第三当接部４２の第三当接斜面４４ｂに当接する。第二側板５２は二つの第二支持柱４０の第二当接部４５、４６に嵌め込まれる。第二側板５２の内側の面は二つの第二支持柱４０の第二当接部４１の第二当接面４３ａに当接する。第二側板５２の左右両側は斜めになり、それぞれ二つの第二支持柱４０の第二当接部４１の第二当接斜面４４ａに当接する。第三側板５３は二つの第一支持柱７０の第一係止部７５に嵌め込まれる。第三側板５３の内側の面は二つの第一支持柱７０の第一当接部７１の第一当接面７３ａに当接する。第三側板５３の左右両側は斜めになり、それぞれ二つの第一支持柱７０の第一当接部７１の第一当接斜面７４ａに当接する。
【００２０】
組み立てが完了すると、前後の二つの端板２０、２２、面板６０および側板セット５０の間に巻き上げ機構（図中未表示）の格納に用いる格納空間（図中未表示）が形成される。巻き上げ機構によって腕時計のゼンマイを自動的に巻き上げることができる。一方、図５に示すように、本考案第２実施形態によるウォッチワインディングボックス１２は、さらにフレーム８０および透明扉板８２を備える。フレーム８０は側辺が端板２０の側辺に接続される。透明扉板８２はフレーム８０の中に装着されるため、面板６０および腕時計の展示を妨害することなく、面板６０および腕時計を保護することができる。
【００２１】
従来のウォッチワインディングボックスは複数の木材合板を接着し、組み立てることによって構成されるのに対し、本考案によるウォッチワインディングボックスは、支持効果を果たす四つの支持柱、上下または前後の二つの端板、複数の側板、面板および透明扉板から構成されるため、構造の強度および安定性が良好であり、かつ長期にわたって使用されても変形または損壊が起こりにくいため、良好な展示効果を果たし、考案の目的を達成することができる。
【符号の説明】
【００２２】
１０：ウォッチワインディングボックス、  
２０、２２：端板、  
２４：装飾用透明板、  
２６：脚部、  
３０：第一支持柱、  
３１：第一当接部、  
３１２：第一当接面、  
３１４：第一当接斜面、  
θ：所定角度、  
３２：第一係止部、  
３３：筺部、  
４０：第二支持柱、  
４１：第二当接部、
４２：第三当接部、  
４３ａ：第二当接面、
４３ｂ：第三当接面、  
４４ａ：第二当接斜面、
４４ｂ：第三当接斜面、  
４５、４６：第二係止部、  
５０：側板セット、  
５１：第一側板、  
５２：第二側板、  
６０：面板、  
６２：空洞部、  
６４：透明扉板、  
６６：格納空間、  
１２：ウォッチワインディングボックス、  
５３：第三側板、  
７０：第一支持柱、  
７１、７２：第一当接部、  
７３ａ、７３ｂ：第一当接面、  
７４ａ、７４ｂ：第一当接斜面、  
７５、７６：第一係止部、  
８０：フレーム、  
８２：透明扉板。  
【図１】
0003188037.tif 000003
【図２】
0003188037.tif 000004
【図３】
0003188037.tif 000005
【図４】
0003188037.tif 000006
【図５】
0003188037.tif 000007
【図６】
0003188037.tif 000008
【図７】
0003188037.tif 000009
【図８】
0003188037.tif 000010